(57)【特許請求の範囲】
【請求項１】
天井部と当該天井部と対向する底部とを有し、手を挿入するための正面側開口部と当該正面側開口部の反対側で当該正面側開口部と対向して位置する背面側開口部とを備えた手挿入空間を形成する手挿入空間形成部と、
前記手挿入空間内に配置された手との間の距離を検出する第１の手検知部と、
前記第１の手検知部より前記背面側開口部側の前記手挿入空間内の手の位置を検知する第２の手検知部と、
前記手挿入空間内の所定位置に配置された手の検温を行う検温部と、
前記所定位置に配置された手のひらに消毒液を噴射する消毒液噴射部と、
各部の動作を制御する制御部と、
を備え、
前記制御部は、前記第１の手検知部が手を検知したという第１の条件と、前記第２の手検知部が手検知した後に前記第１の手検知部が手検知したという手の検知順番ではないという第２の条件とを満たしたことを条件に、前記検温部で手の検温を行い、その後、前記消毒液噴射部から前記消毒液を噴射する制御を行う
検温消毒装置。
【請求項２】
前記手挿入空間内の前記天井部と前記底部との間を高さ、前記正面側開口部と前記背面側開口部との間を奥行きとした場合に、
前記制御部は、前記第１の手検知部からの検知信号を基に、前記手挿入空間内において、所定の奥行方向及び高さ方向の位置である前記所定位置に配置されたと判定したという第３の条件をさらに満たしたことを条件に、前記検温部で手の検温を行い、その後、前記消毒液噴射部から前記消毒液を噴射する制御を行う
請求項１に記載の検温消毒装置。
【請求項３】
前記検温部は、前記手挿入空間内と前記正面側開口部側の前記手挿入空間の外側との双方を検温範囲とする
請求項１又は請求項２に記載の検温消毒装置。
【請求項４】
前記天井部の前記正面側開口部付近に設けられ、前記手挿入空間内と前記正面側開口部側の前記手挿入空間の外側との双方を検温範囲とする第１の前記検温部と、
前記底部の前記正面側開口部付近に設けられ、前記手挿入空間内と前記正面側開口部側の前記手挿入空間の外側との双方を検温範囲とする第２の前記検温部と、
前記底部に設けられ、前記第２の検温部より前記手挿入空間内の前記背面側開口部側を検温範囲とする第３の前記検温部と
を有する請求項３に記載の検温消毒装置。
【請求項５】
前記第１の検温部、前記第２の検温部及び前記第３の検温部の各々は、マトリクス状に配置された複数の温度センサを備え、
前記制御部は、前記第１の検温部、前記第２の検温部及び前記第３の検温部の各々の前記複数の温度センサからの検温情報のうち予め決められた温度範囲を示す検温情報を抽出し、当該抽出した検温情報を基に前記手に係る人の体温が正常であるか否かを判断する
請求項４に記載の検温消毒装置。
【請求項６】
前記底部には、前記手挿入空間内で手を位置させる目印となる手の形をした案内パターンが形成されており、
前記第１の検温部は、前記案内パターンの手首付近に対応する部分に対向して前記天井部に設けられており、
前記第２の検温部及び前記第３の検温部は、前記正面側開口部付近で、且つ前記案内パターン上ではない前記底部の位置に設けられている
請求項４又は請求項５に記載の検温消毒装置。
【請求項７】
第１の発光部と第２の発光部とをさらに備え、
前記制御部は、
前記第３の条件を満たした場合と、前記判断を行うために必要な前記検温情報を取得できた場合とのいずれかの場合に第４の条件を満たしたとして、前記第１の発光部を第１の発光状態にし、
前記第４の条件を満たさない場合に、前記第１の発光部を第２の発光状態にし、
前記制御部は、
前記手に係る人の体温が予め決められた正常範囲内にある場合に、前記第２の発光部を第３の発光状態にし、
前記手に係る人の体温が予め決められた正常範囲外にある場合に、前記第２の発光部を第４の発光状態にする
請求項５に記載の検温消毒装置。
【請求項８】
前記第１の発光部は、背面側にあり、
前記第２の発光部は、正面側にある
請求項７に記載の検温消毒装置。
【発明の詳細な説明】
【技術分野】
【０００１】
本発明は、検温とともに手の消毒を行うことができる検温消毒装置に関するものである。
【背景技術】
【０００２】
防疫や衛生上の観点から、施設・店舗などの建物の入口や入室前には、手の消毒とともに検温を行うことが多い。特許文献１には、手を挿入できる広さを有する収納部に、手を一度挿入する動作により、手を挿入したことを感知するセンサーが手を感知して手に送風して乾燥させるブロワーの作動と、消毒液を噴霧して消毒することをあわせて行えるような手消毒乾燥装置が開示される。
【０００３】
また、特許文献２には、箱様筐体が、ユーザの手が消毒のために差し入れられる２つの開口部を持ち、手で接触することなく作動する噴霧ノズルによる消毒液自動噴霧機能を備える自動手洗装置が開示される。この自動手洗装置では、噴霧ノズルからの消毒液の噴射が正しい場所、すなわち、指先、指および手の平部分に正確に向けられ、開口部が卵型で縦長の楕円形であり、手を消毒中に正しい位置に促すよう実質的に均等に成形された凹部を含む構成になっている。
【０００４】
特許文献３には、歩行者の手指に消毒液を供給する手指消毒器であって、上面と前面および後面とがそれぞれ開口して延在し、歩行者の手の通過を許容する雨樋状の本体部と、本体部の開口の近傍に設けられ、開口から本体部の消毒空間に侵入した手指を検出するセンサと、センサより歩行者の進行方向の前方側の本体部の側板部の内面に設けられ、センサの検出に応じて消毒液を噴射する噴射ノズルと、消毒液を噴射ノズルから噴射させるポンプと、を備える手指消毒器が開示される。
【先行技術文献】
【特許文献】
【０００５】
【特許文献１】特開２０１１−０３１０１１号公報
【特許文献２】特表２０１２−５０１６８６号公報
【特許文献３】特開２０２０−０２５７７１号公報
【発明の概要】
【発明が解決しようとする課題】
【０００６】
建物や部屋に入ろうとする人に対して検温を行う場合、担当者が手持ちの温度測定器によって１人ずつ体温を測定したり、赤外線画像を取り込むことで人の体温を測定したりすることが行われる。また、手の消毒については、手動ポンプ式では手でポンプを作動させて消毒液を噴霧したり、電動ポンプ式では手をノズルの下にかざすことで消毒液を自動的に噴射したりすることが行われる。このような検温と手の消毒との両方を行う作業については、なるべく人員や時間をかけずに円滑に行うことが望まれる。
【０００７】
本発明は、正確な検温及び効果的な手の消毒の両方を自動的かつ円滑に行うことができる検温消毒装置を提供することを目的とする。
【課題を解決するための手段】
【０００８】
本発明は、第１の部材と当該第１の部材と対向し当該第１の部材に対して上方に位置する第２の部材とを有し、手を挿入することが想定された第１の開口部と当該第１の開口部の反対側に当該第１の開口部と対向して位置する第２の開口部とを備えた空間を形成する空間形成部と、前記空間内の前記第２の開口部側に位置し前記第１の開口部から挿入された手が前記空間内で所定の位置に配置されたこと検知する手検知部と、前記所定位置に配置された手のひらに消毒液を噴射し、前記消毒液の噴射口が前記第１の部材に設けられた消毒液噴射部と、前記手検知部に対して前記第１の開口部側に配置され、前記所定位置に配置された手の甲の検温を行い、前記第２の部材に設けられた検温部と、各部の動作を制御する制御部と、を備え、前記制御部は、前記手検知部が前記所定の位置に手が配置されたことを検知した後に前記検温部で手の甲の検温を行い、その後、前記消毒液噴射部から前記消毒液を噴射する制御を行い、前記噴射口から前記消毒液を噴射すると前記第２の部材に当たることで人の顔にかからないように構成されている検温消毒装置である。
【０００９】
好適には、前記手挿入空間内の前記天井部と前記底部との間を高さ、前記正面側開口部と前記第２の開口後部との間を奥行きとした場合に、前記制御部は、前記第１の手検知部からの検知信号を基に、前記手挿入空間内において、所定の奥行方向及び高さ方向の位置である前記所定位置に配置されたと判定したという第３の条件をさらに満たしたことを条件に、前記検温部で手の検温を行い、その後、前記消毒液噴射部から前記消毒液を噴射する制御を行う。
【００１０】
好適には、前記検温部は、前記手挿入空間内と前記正面側開口部側の前記手挿入空間の外側との双方を検温範囲とする。
【００１１】
好適には、前記天井部の前記正面側開口部付近に設けられ、前記手挿入空間内と前記正面側開口部側の前記手挿入空間の外側との双方を検温範囲とする第１の前記検温部と、前記底部の前記正面側開口部付近に設けられ、前記手挿入空間内と前記正面側開口部側の前記手挿入空間の外側との双方を検温範囲とする第２の前記検温部と、前記底部に設けられ、前記第２の検温部より前記手挿入空間内の前記背面側開口部側を検温範囲とする第３の前記検温部とを有する。
【００１２】
好適には、前記第１の検温部、前記第２の検温部及び前記第３の検温部の各々は、マトリクス状に配置された複数の温度センサを備え、前記制御部は、前記第１の検温部、前記第２の検温部及び前記第３の検温部の各々の前記複数の温度センサからの検温情報のうち予め決められた温度範囲を示す検温情報を抽出し、当該抽出した検温情報を基に前記手に係る人の体温が正常であるか否かを判断する。
【００１３】
好適には、前記底部には、前記手挿入空間内で手を位置させる目印となる手の形をした案内パターンが形成されており、前記第１の検温部は、前記案内パターンの手首付近に対応する部分に対向して前記天井部に設けられており、前記第２の検温部及び前記第３の検温部は、前記正面側開口部付近で、且つ前記案内パターン上ではない前記底部の位置に設けられている。
【００１４】
好適には、第１の発光部と第２の発光部とをさらに備え、前記制御部は、前記第３の条件を満たした場合と、前記判断を行うために必要な前記検温情報を取得できた場合とのいずれかの場合に第４の条件を満たしたとして、前記第１の発光部を第１の発光状態にし、前記第４の条件を満たさない場合に、前記第１の発光部を第２の発光状態にし、前記制御部は、前記手に係る人の体温が予め決められた正常範囲内にある場合に、前記第２の発光部を第３の発光状態にし、前記手に係る人の体温が予め決められた正常範囲外にある場合に、前記第２の発光部を第４の発光状態にする。
【００１５】
好適には、前記第１の発光部は、背面側にあり、前記第２の発光部は、正面側にある。
【発明の効果】
【００１６】
本発明によれば、正確な検温及び効果的な手の消毒の両方を自動的かつ円滑に行うことができる検温消毒装置を提供することが可能になる。
【図面の簡単な説明】
【００１７】
【図１】図１は、本発明の第１実施形態に係る検温消毒装置を例示する斜視図である。
【図２】図２は、図１に示す検温消毒装置を例示する背面図である。
【図３】図３は、本発明の実施形態に係る検温消毒装置の空間形成部よって形成される手を挿入して位置させる手挿入空間を説明するための斜め下方向から見た図である。
【図４】図４は、本発明の実施形態に係る検温消毒装置の第１の手挿入空間の側面側の構成を説明するための図である。
【図５】図５は、本発明の実施形態に係る検温消毒装置の第１の検温部、第２の検温部、第３の検温部、消毒液噴射部の配置及び機能を平面方向から見て説明するための図である。
【図６】図６は、本発明の実施形態に係る検温消毒装置の第１の検温部、第２の検温部及び第３の検温部の検温範囲を斜め上から見て説明するための図である。
【図７】図７は、本発明の実施形態に係る検温消毒装置の第１の検温部、第２の検温部及び第３の検温部の検温範囲を側面側から見て説明するための図である。
【図８】図８は、本発明の実施形態に係る検温消毒装置の第１の手検知部、第２の手検知部、第１の検温部、第２の検温部、第３の検温部及び消毒液噴射部の側面方向から見た位置を説明するための図である。
【図９】図９は、本発明の実施形態に係る検温消毒装置の第１の発光部及び第２の発光部の平面方向から見た位置及び形状を説明するための図である。
【図１０】図１０は、図９に示す第１の発光部及び第２の発光部の発光パターンを説明するための図である。
【図１１】図１１は、検温消毒装置の機能ブロック図である。
【図１２】図１２は、実施形態に係る検温消毒装置の全体動作を例示するフローチャートである。
【図１３】図１３は、図１２に示すステップＳ１０１の動作を説明するための図である。
【発明を実施するための形態】
【００１８】
以下、本発明の実施形態を図面に基づいて説明する。なお、以下の説明では、同一の部材には同一の符号を付し、一度説明した部材については適宜その説明を省略する。
【００１９】
図１は、本発明の実施形態に係る検温消毒装置１を例示する斜視図である。
図２は、本発明の実施形態に係る検温消毒装置１を例示する背面図である。
図３は、本発明の実施形態に係る検温消毒装置１の空間形成部１０によって形成される手を挿入して位置させる手挿入空間１０ａを説明するための斜め下方向から見た図である。
図４は、本発明の実施形態に係る検温消毒装置１の第１の手挿入空間１０ａの側面側の構成を説明するための図である。
【００２０】
図５は、本発明の実施形態に係る検温消毒装置１の手検知部２０、第１の手検知部２１、第１の検温部３１、第２の検温部３２、第３の検温部３３、消毒液噴射部４０の配置及び機能を平面方向から見て説明するための図である。
図６は、本発明の実施形態に係る検温消毒装置１の第１の検温部３１、第２の検温部３２及び第３の検温部３３の検温範囲を斜め上から見て説明するための図である。
図７は、本発明の実施形態に係る検温消毒装置１の第１の検温部３１、第２の検温部３２及び第３の検温部３３の検温範囲を側面側から見て説明するための図である。
図８は、本発明の実施形態に係る検温消毒装置１の第１の手検知部２１、第２の手検知部２２、第１の検温部３１、第２の検温部３２、第３の検温部３３及び消毒液噴射部４０の側面方向から見た位置を説明するための図である。
【００２１】
図９は、本発明の実施形態に係る検温消毒装置１の第１の発光部５１及び第２の発光部５２の平面方向から見た位置及び形状を説明するための図である。
図１０は、図９に示す第１の発光部５１及び第２の発光部５２の発光パターンを説明するための図である。
図１１は、検温消毒装置１の機能ブロック図である。
【００２２】
本実施形態に係る検温消毒装置１は、手挿入空間１０ａ内の所定位置に手を挿入することで検温と消毒とを自動的に行う装置である。
検温消毒装置１は、手Ｈを位置させる手挿入空間１０ａを形成する空間形成部１０と、手Ｈを検知する第１の手検知部２１及び第２の手検知部２２と、手Ｈの甲の検温を行う第１の検温部３１と、手Ｈの平の検温を行う第２の検温部３２及び第３の検温部３３と、手Ｈの平に消毒液を噴射する消毒液噴射部４０と、第１の発光部５１及び第２の発光部５２と、各部の動作を制御する制御部６０とを備える。
【００２３】
空間形成部１０は、正面側に手を挿入可能な正面側開口部７１を有している。正面側開口部７１のサイズは空間形成部１０の手挿入空間１０ａに手Ｈを挿入しても空間形成部１０の内側に接触しない大きさである。正面側開口部７１は、大人の手Ｈは挿入できても、子供の頭は挿入できないサイズや形状になっている。
また、空間形成部１０の背面側には、正面側開口部７１に対向して背面側開口部７２が形成されている。このように、背面側開口部７２を設けたことで、ユーザが手Ｈを正面側開口部７１から手挿入空間１０ａ内に入れるときの違和感を視覚的に軽減できる。
【００２４】
本実施形態では、空間形成部１０は正面側が緩やかに曲線を描く略直方体形状の空間になっている。
手挿入空間１０ａの底部８２は、手Ｈの挿入方向（奥行き方向）の手前から奥に向けて底部が水平に対して僅かに下がる方向としてもよい。傾斜の角度は、水平に対して約５度以上、４５度以下程度、好ましくは約１２度である。これにより、空間形成部１０の手挿入空間１０ａに手Ｈを自然に挿入できるようになる。また、空間形成部１０内に噴射された消毒液が手挿入空間１０ａ内に留まらず、傾斜の下方へ流れやすくなる。
【００２５】
底部８２には、手挿入空間１０ａ内で手を位置させる目印となる手の形をした案内パターン８３が形成されている。
【００２６】
空間形成部１０は、例えば下支柱２の上端に配置される。下支柱２は床に設置可能であって上下方向に延在する。下支柱２の表面側に広告等が表示可能である。
空間形成部１０の上には、表面側に広告等が表示可能な上支柱３が設けられている。
【００２７】
図３及び図４に示すように、手挿入空間１０ａの中央に対して背面側開口部７２側の天井部８１に、第１の手検知部２１が設けられている。
第１の手検知部２１は、手挿入空間１０ａ内に配置された手との間の距離（高さ方向の距離）を検出するために用いられる。
【００２８】
天井部８１の第１の手検知部２１より背面側開口部７２側には第２の手検知部２２が設けられている。第２の手検知部２２は、手挿入空間１０ａ内で第１の手検知部２１より背面側開口部７２側にある手を検知する。
【００２９】
第１の検温部３１は、天井部８１の正面側開口部７１付近に設けられている。
第１の検温部３１は、図５〜図７に示すように、手挿入空間１０ａ内と正面側開口部７１側の手挿入空間１０ａの外側との双方を検温範囲３１ａとする。
第１の検温部３１は、手挿入空間１０ａ内の所定位置にある手Ｈの甲を検温する。
【００３０】
第２の検温部３２は、底部８２の正面側開口部７１付近に設けられ、手挿入空間１０ａ内と、正面側開口部７１側の手挿入空間１０ａの外側との双方を検温範囲３２ａとする。
第２の検温部３２は、手挿入空間１０ａ内の所定位置にある手Ｈの平を検温する。
【００３１】
第３の検温部３３は、底部８２に設けられ、第２の検温部３２より手挿入空間１０ａ内の背面側開口部７２側を検温範囲３３ａとする。
第３の検温部３３は、手挿入空間１０ａ内の所定位置にある手Ｈの平を検温する。
【００３２】
図５に示すように平面視において、第１の検温部３１は、案内パターン８３の手首付近に対応する部分に対向して天井部８１に設けられている。
第２の検温部３２及び第３の検温部３３は、平面視において、正面側開口部７１付近で、且つ前記案内パターンに対向しない底部８２の位置に設けられている。
【００３３】
第１の検温部３１、第２の検温部３２及び第３の検温部３３を、正面側開口部７１付近に設けたことで、正面側開口部７１から挿入された手Ｈを適切に検温できると共に、中央付近に設けられた噴射口４０ａとの距離を確保でき、第１の検温部３１、第２の検温部３２及び第３の検温部３３に消毒液が吹き付けられることを抑制できる。また、第１の検温部３１及び第２の検温部３２により手首付近まで検温することができる。
【００３４】
第１の検温部３１、第２の検温部３２及び第３の検温部３３の各々は、マトリクス状に配置された複数の温度センサを備えている。例えば、８×８の合計６４個の温度センサをそれぞれ備えている。当該温度センサは、例えば、赤外線センサである。
【００３５】
図１及び図５に示すように、手挿入空間１０ａの底部８２には、消毒液噴射部４０の噴射口４０ａが設けられている。噴射口４０ａから消毒液が天井部８１に向けて所定の角度範囲で噴射される。消毒液は手Ｈの平の広い範囲に吹き付けられる。
このとき、噴射口４０ａと手Ｈの平とが所定距離範囲内にあることで、手Ｈの平全体に消毒液が吹き付けられる。手Ｈが噴射口４０ａに近すぎると吹き付け範囲が狭くなる。本実施形態では、第１の手検知部２１からの検知信号を基に、手Ｈと第１の手検知部２１とが所定の距離範囲内にあるときに、手が所定位置にあるとして検温及び消毒液噴射を行う。
【００３６】
空間形成部１０は、消毒液噴射部４０から噴射され消毒を行ったあとの余剰の消毒液が手挿入空間１０ａの外側へ排出される排出構造を有している。
噴射口４０ａは複数設けてもよい。
【００３７】
図１に示すように、検温消毒装置１の天井部５には、第１の発光部５１及び第２の発光部５２が設けられている。
第１の発光部５１は天井部５の背面側の縁部に設けられ、第２の発光部５２は天井部５の正面側の縁部に設けられている。
【００３８】
制御部６０は、第１の手検知部２１が手を検知したという第１の条件と、第２の手検知部２２が手を検知した後に一定時間内に第１の手検知部２１が手を検知していないという第２の条件と、手Ｈが手挿入空間１０ａ内で第１の手検知部２１と手Ｈとの距離が所定範囲内である第３の条件との全てを満たしたことを条件に、手Ｈが所定位置にあると判断する。
制御部６０は、手Ｈが所定位置にあると判断した場合に、第１の検温部３１、第２の検温部３２及び第３の検温部３３による手の検温を行い、その後、消毒液噴射部４０を制御して噴射口４０ａから消毒液を手Ｈの平に噴射する制御を行う。
【００３９】
すなわち、制御部６０が上記判断をすることで、背面側開口部７２から手が挿入された場合には、手Ｈが所定の位置にはないと判断される。また、手Ｈと第１の手検知部２１との距離が所定範囲内（噴射口４０ａから噴射された消毒液が手Ｈの平の全体に噴射される距離範囲）ないにあることを条件に消毒液を噴射するので、手のひら全体を適切に消毒できる。
【００４０】
制御部６０は、第１の検温部３１、第２の検温部３２及び第３の検温部３３の各々の複数の温度センサからの検温情報を取得し、予め決められた温度範囲を示す検温情報を抽出し、当該抽出した検温情報を基に手に係る人の体温が正常であるか否かを判断する。
【００４１】
制御部６０は、上記第３の条件を満たした場合と、前記判断を行うために必要な前記検温情報を取得できた場合といずれかの場合に第４の条件を満たしたとして、第１の発光部５１を第１の発光状態にする。
また、制御部６０は、上記第４の条件を満たさない場合に、第１の発光部５１を第２の発光状態にする。
【００４２】
制御部６０は、手に係る人の体温が予め決められた正常範囲内にある場合に、第２の発光部５２を第３の発光状態にする。
制御部６０は、手に係る人の体温が予め決められた正常範囲外にある場合に、第２の発光部５２を第４の発光状態にする。
【００４３】
ここで、本実施形態では手検知部および検温部を別体で設けているが、これらを一体型（１つのセンサによる共用や、１つのセンサモジュールによる共用）にしてもよい。これにより、手検知部と検温部とが一つの構成で済むことになる。
【００４４】
底面１０ｆ上での消毒液噴射部、検温部、手検出部の位置は適宜変更可能である。
【００４５】
上支柱３には、消毒液を収容するタンクと、タンクから消毒液噴射部４０ａ，４０ｂへ消毒液を供給するポンプとが設けられる。上支柱３の中にタンクおよびポンプが設けられることで、検温消毒装置１の意匠性が高められる。
【００４６】
例えば、制御部６０は、第１の手検知部２１及び第２の手検知部２２から取得した検知視を基に手Ｈが所定位置にあると判断した後、第１の検温部３１、第２の検温部３２及び第３の検温部３３で手Ｈの検温を行い、その後、ポンプ７０に指示を与えてタンク８０から消毒液噴射部４０へ消毒液を供給し、噴射口から消毒液を噴射する制御を行う。制御部６０によって、手Ｈの検温を行った後に消毒液を噴射するようにタイミングを制御することで、消毒液の噴射による検温への影響が抑制される。
【００４７】
報知部９０は、例えば、「Bluetooth（ブルートゥース）（登録商標）等の無線通信機能を備え、検温消毒装置１から離れた場所にいるスタッフの通信機器に無線による報知信号を送信する。当該通信機器は、スマートウォッチ等のウェアラブル端末やスマートフォン等の端末である。
無線通信機能を搭載した事により、近くで人間が監視をしなくてもスマートウォッチ等のバイブレーション機能で、体温が所定基準を超えた人がいたことを通知できる。これにより検温消毒装置１の周囲で働く方が、モニタなどを見ずに、他の仕事をしながら監視ができる。
【００４８】
なお、検温消毒装置１の各種設定については、携帯端末などのアプリケーションソフトウェアによって行うようにしてもよい。例えば、アプリケーションソフトウェアで報知に関する一定条件（温度閾値）や報知の種類（発光色や音の種類など）、電源のＯＮ／ＯＦＦなどを行い、携帯端末の通信機能を用いて設定を制御部６０に送るようにしてもよい。また、制御部６０は、携帯端末に検温した値や消毒液の残量などの情報を携帯端末に送信し、アプリケーションソフトウェアで表示するようにしてもよい。アプリケーションソフトウェアに報知部９０の機能を持たせてもよい。
【００４９】
（検温消毒装置の動作）
図１２は、実施形態に係る検温消毒装置の全体動作を例示するフローチャートである。
先ず、ステップＳ１０１に示すように、手Ｈが手挿入空間１０ａ内の所定位置にあるか否かの判断を行う。当該ステップＳ１０１については、図１３を用いて説明する。
【００５０】
制御部６０は、第１の手検知部２１からの検知信号を基に、手を検知したか否かを判定し、検知したという第１の条件を満たしたと判断するとステップＳ２０２に進む（ステップＳ２０１）。
ステップＳ２０２において、制御部６０は、第１の手検知部２１及び第２の手検知部２２からの検知信号を基に、第２の手検知部２２が手を検知した後に一定時間内に第１の手検知部２１が手を検知していないという第２の条件を満たしたか否かを判断し、満たしたと判断するとステップＳ２０３に進む。
【００５１】
制御部６０は、第１の手検知部２１からの検知信号を基に、手Ｈが手挿入空間１０ａ内で第１の手検知部２１と手Ｈとの距離が所定範囲内である第３の条件を満たしたか否かを判断し、満たしたと判断すると（ステップＳ２０３）、手Ｈが所定位置にあると判断する（ステップＳ２０４）。
制御部６０は、手Ｈが所定位置にあると判断した場合に、第１の検温部３１、第２の検温部３２及び第３の検温部３３による手の検温を行う。
これにより、所定位置まで手Ｈが挿入されないと手検知部２０による手Ｈの検知は行われない。これにより、不要な検温や消毒を行うことが回避される。
【００５２】
手検知部２０によって手Ｈを検知した場合、ステップＳ１０２に示すように、手Ｈの検温を行う。検温は、第１の検温部３１、第２の検温部３２及び第３の検温部３３によって行われる。
【００５３】
次に、ステップＳ１０３に示すように、制御部６０は、手検温は、第１の検温部３１、第２の検温部３２及び第３の検温部３３から取得した検温情報を基に、一定条件を満たすか否かの判断を行う。
【００５４】
次に、ステップＳ１０４へ進む。ステップＳ１０４では、消毒液噴射部４０から手Ｈの平に向けて消毒液を噴射する。制御部６０は、消毒液噴射部４０から消毒液を噴射している間、時間を計数する。
制御部６０によって、手Ｈの検温を行った後に消毒液を噴射するようにタイミングを制御することで、消毒液の噴射による検温への影響が抑制される。
【００５５】
次に、ステップＳ１０５に示すように、制御部６０は、消毒液噴射部４０から消毒液を噴射している時間が一定時間経過したか否かを判断する。一定時間を経過していなかった場合（ステップＳ１０５でＮｏ）、そのまま消毒液噴射部４０からの消毒液の噴射を継続する。
【００５６】
一定時間を経過した場合（ステップＳ１０５でＹｅｓ）、ステップＳ１０６に示すように消毒液の噴射を停止する。その後、ステップＳ１０７に示すように報知部９０から報知（完了）を行う。
【００５７】
次に、ステップＳ１０８に示すように、処理終了か否かの判断を行い、終了しない場合（ステップＳ１０８でＮｏ）、ステップＳ１０１へ戻り、以降の処理を繰り返す。一方、終了する場合（ステップＳ１０８でＹｅｓ）、処理を終了する。
【００５８】
制御部６０は、上述した動作の過程で、図１０の条件に従って、第１の発光部５１及び第２の発光部５２の発光状態を制御する。
これにより、体温が高い人に対する対応を迅速に行うことができる。
第１の発光部５１と第２の発光部５２と配置を逆にしてもよし、他の位置に設けてもよい。
【００５９】
このような検温消毒装置１では、、手挿入空間１０ａに手Ｈを位置させることで、第１の手検知部２１及び第２の手検知部２２により、正面側開口部７１から所定位置に手が位置したことを検出した後に、検温及び消毒動作を自動的に行う。当該所定位置は、手挿入空間１０ａ内の奥行及び高さ方向で検温及び消毒液噴射に予め適した位置に規定されている。そのため、検温を高精度に行えると共に、消毒液を手の平全体に吹き付けることができる。
【００６０】
消毒液を噴射する際、手Ｈが手挿入空間１０ａに挿入されており、しかも手挿入空間１０ａが下支柱２及び上支柱３でカバーされるため、消毒液が空間形成部１０の外側に漏れる（吹き出す）ことはない。したがって、消毒液が人の顔にかかることはない。
【００６１】
なお、上記に本実施形態およびその適用例を説明したが、本発明はこれらの例に限定されるものではない。例えば、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
上述した実施形態の空間形成部１０及び手挿入空間１０ａの形状は特に限定されない。
また、消毒液噴射部４０を複数異なる位置に設けてもよい。また、検温部の数、及び構造も前述したものに特に限定されない。
また、各温度計は、直下上の位置、又は角度を持たせた箇所の検温を行う。
【符号の説明】
【００６２】
１…検温消毒装置
２…下支柱
３…上支柱
５…天井部
１０…空間形成部
１０ａ…手挿入空間
２１…第１の手検知部
２２…第２の手検知部
３１…第１の検温部
３２…第２の検温部
３３…第３の検温部
４０…消毒液噴射部
４０ａ…噴射口
５１…第１の発光部
５２…第２の発光部
６０…制御部
７１…正面側開口部
７２…背面側開口部
８１…天井部
８２…底部
【要約】
【課題】  正確な検温及び効果的な手の消毒の両方を自動的かつ円滑に行うことができる検温消毒装置を提供することを目的とする。
【解決手段】  制御部６０は、第１の手検知部２１が手を検知したという第１の条件と、第２の手検知部２２が手を検知した後に一定時間内に第１の手検知部２１が手を検知していないという第２の条件と、手Ｈが手挿入空間１０ａ内で第１の手検知部２１と手Ｈとの距離が所定範囲内である第３の条件との全てを満たしたことを条件に、手Ｈが所定位置にあると判断する。満たしたと判断すると、手Ｈが所定位置にあると判断して、検温動作及び消毒液噴射動作を行う。
【選択図】図５【図１】
0006966822.tif 000002
【図２】
0006966822.tif 000003
【図３】
0006966822.tif 000004
【図４】
0006966822.tif 000005
【図５】
0006966822.tif 000006
【図６】
0006966822.tif 000007
【図７】
0006966822.tif 000008
【図８】
0006966822.tif 000009
【図９】
0006966822.tif 000010
【図１０】
0006966822.tif 000011
【図１１】
0006966822.tif 000012
【図１２】
0006966822.tif 000013
【図１３】
0006966822.tif 000014